(57)【要約】【課題】簡単な操作で強固に集塊化した内容物を破砕可能な粉体容器を提供する。【解決手段】粉体容器１０は、上端面が開口した筒状の側壁１６を有する容器本体１２と、側壁１６の上端部に装着されるキャップ１４と、側壁１６の内側空間を横断するように形成されるとともに開口２０ｂを有し、該開口２０ｂよりも小さな内容物が通過可能である台座部２０と、台座部２０とキャップ１４との間に上下動可能に設けられ、その下降端位置にて台座部２０に当接する破砕部材２２と、を備える。【選択図】図１
2019147564.tif 000002
【特許請求の範囲】
【請求項１】
上端面が開口した筒状の側壁を有する容器本体と、前記側壁の上端部に装着されるキャップとを備える粉体容器であって、
前記側壁の内側空間を横断するように形成されるとともに開口を有し、該開口よりも小さな内容物が通過可能である台座部と、
前記台座部と前記キャップとの間に上下動可能に設けられ、その下降端位置にて前記台座部に当接する破砕部材と、を備えることを特徴とする粉体容器。
【請求項２】
前記破砕部材は、前記下降端位置にて前記台座部に当接する本体部と、該本体部から垂直下向きに延出して前記台座部を貫通する軸棒を有し、
前記台座部は前記軸棒の上下動を案内する案内孔を有する、請求項１に記載の粉体容器。
【請求項３】
前記軸棒の先端は鋭利に形成されている、請求項２に記載の粉体容器。
【請求項４】
前記本体部は、前記開口と対応する位置にて垂直下向きに延出し、少なくとも前記下降端位置にて前記開口から下方に突出する破砕突起を有する、請求項２または３に記載の粉体容器。
【請求項５】
前記破砕部材は、前記側壁の前記上端部に対応する位置に配置されている、請求項１から４までのいずれか一項に記載の粉体容器。
【発明の詳細な説明】
【技術分野】
【０００１】
本発明は、上端面が開口した筒状の側壁を有する容器本体と、側壁の上端部に装着されるキャップとを備える粉体容器の改良に関する。
【背景技術】
【０００２】
容器に収容する粉体の中には、例えば吸湿性があり開封後内容物を途中まで使用した場合に空気中の水分を吸収するなどして集合し、塊となるものがある。このように塊となった収容物は、キャップに形成された排出口の口径よりも小さい場合には塊のまま排出され、排出口の口径よりも大きい場合には排出口を塞いで内容物の排出を阻害することがある。そのため、内容物が集塊化した場合には、容器を叩く、もしくはキャップを外してスプーンなどで掻き混ぜるなどの作業が必要となり、煩わしさがあった。
【０００３】
この点に鑑み、特許文献１には、容器体の周壁の上端部にキャップ本体を装着してなる振り出し容器であって、キャップ本体の頂壁下面に先端が尖った塊化粉体破砕用の突起を一体に垂設してなるものが提案されている。
【先行技術文献】
【特許文献】
【０００４】
【特許文献１】特開平８−９１４０５号公報
【発明の概要】
【発明が解決しようとする課題】
【０００５】
特許文献１の容器は、容器を振ることで粉体の塊を塊化粉体破砕用の突起に衝突させ、そのときの衝撃を利用して粉砕するものであるが、内容物が強固に固化した場合等には、十分に粉砕できない場合もあり、改良の余地があった。
【課題を解決するための手段】
【０００６】
本発明は、上端面が開口した筒状の側壁を有する容器本体と、前記側壁の上端部に装着されるキャップとを備える粉体容器であって、上記課題を解決するため、前記側壁の内側空間を横断するように形成されるとともに開口を有し、該開口よりも小さな内容物が通過可能である台座部と、前記台座部と前記キャップとの間に上下動可能に設けられ、その下降端位置にて前記台座部に当接する破砕部材と、を備える。
【０００７】
なお、本発明の粉体容器にあっては、前記破砕部材は、前記下降端位置にて前記台座部に当接する本体部と、該本体部から垂直下向きに延出して前記台座部を貫通する軸棒を有し、前記台座部は前記軸棒の上下動を案内する案内孔を有することが好ましい。
【０００８】
また、本発明の粉体容器にあっては、前記軸棒の先端は鋭利に形成されていることが好ましい。
【０００９】
さらに、本発明の粉体容器にあっては、前記本体部は、前記開口と対応する位置にて垂直下向きに延出し、少なくとも前記下降端位置にて前記開口から下方に突出する破砕突起を有することが好ましい。
【００１０】
さらに、本発明の粉体容器にあっては、前記破砕部材は、前記側壁の前記上端部に対応する位置に配置されていることが好ましい。
【発明の効果】
【００１１】
本発明の粉体容器にあっては、粉体容器を上下動させると破砕部材が上下動し、これに加えて内容物の塊が台座部の開口を通って台座部の上に載り、台座部に載った塊には破砕部材が下降移動した際に破砕部材によって十分な破砕力が与えられて破砕される。したがって、強固に集塊化した内容物を破砕することができる。
【００１２】
また、本発明の粉体容器において、破砕部材が、下降端位置にて台座部に当接する本体部と、該本体部から垂直下向きに延出して台座部を貫通する軸棒を有する場合には、内容物が全体的に固化した場合でも軸棒の下方進出によって内容物の塊を突き刺し、破砕することができ、軸棒による破砕によりある程度小さくなった塊は、台座部の開口を通って台座部の上に載り、本体部と台座部との間でより細かく破砕することができる。
【００１３】
さらに、本発明の粉体容器において、軸棒の先端が鋭利に形成されている場合には、棒軸による内容物の突刺し破砕をより効果的に行うことができる。
【００１４】
さらに、本発明の粉体容器において、破砕部材の本体部に、台座部の開口と対応する位置にて垂直下向きに延出し、少なくとも下降端位置にて開口から下方に突出する破砕突起が形成されている場合には、大き過ぎて台座部の開口を通ることができない塊を破砕突起の下方進出により破砕することができる。そして、破砕突起による破砕によりある程度小さくなった塊は、台座部の開口を通って台座部の上に載り、本体部と台座部との間でより細かく破砕することができる。
【００１５】
さらに、本発明の粉体容器において、破砕部材が側壁の上端部に対応する位置に配置されている場合には、内容物の塊を破砕部材とキャップとの間でも押し潰すことができるので、内容物の塊をより効果的に破砕することができる。
【図面の簡単な説明】
【００１６】
【図１】本発明に従う一実施形態の粉体容器の断面図である。
【図２】図１の粉体容器の平面図である。
【図３】図１中のＡ−Ａ’線に沿う粉体容器の断面図である。
【図４】図１の粉体容器における破砕部材を示し、（ａ）は平面図であり、（ｂ）は側面図である。
【図５】図１の粉体容器を上下に振り、破砕部材が上方へ移動した状態を示す粉体容器の断面図である。
【図６】図１の粉体容器の使用状態を示す断面図である。
【図７】本発明の粉体容器に適用可能な破砕部材の変形例を示す平面図である。
【図８】本発明の粉体容器に適用可能な破砕部材の他の変形例を示す平面図である。
【図９】本発明の粉体容器に適用可能な破砕部材のさらに他の変形例を示す平面図である。
【発明を実施するための形態】
【００１７】
以下、本発明の実施の形態を図面を参照して説明する。
【００１８】
図１に示すように、一実施形態の粉体容器１０は、各々合成樹脂からなる容器本体１２とキャップ１４とを備える。粉体容器１０は、例えば粉チーズや粉末洗剤など容器内で固化し易い内容物を収容するのに適しているが、内容物はこれらに限定されない。容器本体１２は、上端面が開口した筒状の側壁１６と、側壁１６の下端面を閉塞する底板１８とを有する。図示例において、側壁１６と底板１８とは別体であり、それぞれの嵌合部１６ａ，１８ａを介して互いに接合されているが、容器本体１２は、側壁１６および底板１８が一体的に形成された一体成形品でもよい。
【００１９】
容器本体１２の内部には、図２および図３にも示すように、容器正立状態での内容物の上方で側壁１６の内側空間を横断するように台座部２０が形成されている。台座部２０は底板１８側に凸になるドーム状に形成されていて、例えばその中心には後述の軸棒２２ｂを案内する案内孔２０ａが形成されている。案内孔２０ａの径方向外側には例えば４つの開口２０ｂが点対称もしくは等間隔に形成されている。開口２０ｂは、集塊化していない内容物もしくは開口２０ｂよりも小さな内容物の塊を、粉体容器１０の上下振り動作時もしくは傾倒時に台座部２０の下室から台座部２０とキャップ１４との間（上室）へと通過させるものであり、少なくとも一つあればよい。図示例において台座部２０は側壁１６と一体的に形成されているが、側壁１６と別体して形成するとともに、側壁１６の内壁に例えば嵌合により固定してもよい。
【００２０】
粉体容器１０はまた、台座部２０とキャップ１４との間に上下動可能に設けられ、その下降端位置（図１に示す位置）にて台座部２０に当接する破砕部材２２を備えている。破砕部材２２は、好ましくは、側壁１６の上端部に対応する位置、すなわちキャップ１４の近傍に配置される。
【００２１】
破砕部材２２は例えば合成樹脂からなり、図４にその全体を示すように、下降端位置にて台座部２０に当接する本体部２２ａと、本体部２２ａの中央部分から垂直下向きに延出して台座部２０を貫通する軸棒２２ｂとを有する。図示例では、本体部２２ａは中心部分から外側に延びるとともに相互間に内容物のための通路を形成する複数の放射状リブ２４からなる。図示例において、放射状リブ２４は１２本形成されているが、内容物の排出を阻害することなく放射状リブ２４と台座部２０との間で内容物の塊を効率的に破砕できればその数に特に限定はない。また、放射状リブ２４の下面は台座部２０の上面に沿う形状とするのが好ましく、図示例ではドーム状の台座部２０の上面に沿う下向き凸の湾曲面として形成されている。これにより、破砕部材２２の下降端位置にて放射状リブ２４の下面のほぼ全域が台座部２０の上面に当接可能となり、放射状リブ２４と台座部２０との間で内容物の塊をより効果的に破砕することができる。
【００２２】
また、本体部２２ａには、台座部２０の開口２０ｂと対応する位置にて垂直下向きに延出し、少なくとも下降端位置（図１に示す位置）にて開口２０ｂより下方に突出する破砕突起２６が形成されている。しかし、破砕突起２６は、破砕部材２２の上昇端位置では開口２０ｂの外側（上側）に位置し、破砕部材２２の下降移動に伴い開口２０ｂ内に挿入される長さとしてもよい。また、図示例では、１つの開口２０ｂにつき２つの破砕突起２６が対応して形成されているが、破砕突起２６の数に限定はなく、１つの開口２０ｂに対して１つまたは３つ以上の破砕突起２６を形成してもよい。また、内容物の塊を効率よく破砕するため、破砕突起２６の先端は鋭利に形成するのが好ましい。
【００２３】
軸棒２２ｂは、破砕部材２２の上下動に伴って台座部２０の案内孔２０ａで案内されながら進退し、下方への進出時に粉体容器１０内の内容物の塊、特に内容物全体が固化した塊を突き刺し破砕するものであり、好ましくは先端が鋭利に形成されている。また、軸棒２２ｂは、破砕部材２２の上昇端位置（図５）においてもその先端（下端）が台座部２０の下面よりも下方に突出する長さを有することが好ましく、このようにすることで、破砕部材２２が上昇端位置にあるときにも、粉体容器１０の上下振り動作によって上昇してくる内容物の塊に軸棒２２ｂを突き刺し、破砕することができるので、より一層効率的な破砕が可能になる。軸棒２２ｂの周面には、軸線に沿って延び案内孔２０ａとの摩擦抵抗を減らす複数の凹条２８（図４（ｂ））が形成されている。なお、図示例において軸棒２２ｂは本体部２２ａと一体に形成されているが、本体部２２ａとは別体として形成するとともに、本体部２２ａに例えば嵌合により固定してもよい。また軸棒２２ｂは本体部２２ａとは異なる材料、例えばステンレスなどの金属材料から形成してもよい。
【００２４】
図１に戻り、キャップ１４は、容器本体１２の側壁１６の上端部に装着されている。キャップ１４と側壁１６とは各々に形成されたねじ部１４ａ，１６ｂを介して着脱自在に連結されているが、キャップ１４は、例えば図示しないアルミシールを剥がすことによる容器開封などに際して着脱自在であれば圧入、もしくはアンダーカットのような係合部を介して側壁１６の上端部に連結してもよい。
【００２５】
キャップ１４は、内面に上記ねじ部１４ａが形成された装着筒３０と、装着筒３０の上端に形成された天板３２とを有する。天板３２には、容器内部に収容された粉体を排出する排出口１４ｂと、天板３２にヒンジ１４ｃを介して開閉自在に保持され、排出口１４ｂを塞ぐ蓋体３４とが形成されている。図１等に示す断面図では排出口１４ｂは一つしか確認できないが、排出口１４ｂは複数形成されていてもよく、この場合、隣接する排出口１４ｂ間に仕切りリブ（図示省略）を設けて、この仕切りリブによっても集塊化した内容物を破砕するようにしてもよい。また、大小異なる大きさの排出口１４ｂおよび該排出口１４ｂを塞ぐ蓋体３４をキャップ１４の例えば前方部と後方部とにそれぞれ設けて、所望の排出量に応じて排出口１４ｂを使い分けるようにしてもよい。
【００２６】
次いで、上記構成を備える粉体容器１０の使用態様について説明する。粉体容器１０内に粉体の塊がない場合には、蓋体３４を開け、粉体容器１０を傾けるかもしくは傾けた状態で振ることで内容物を排出することができる。粉体容器１０内に粉体の塊がある場合（内容物全体が固化した場合も含む）には、図５に示すように、蓋体３４を閉めた状態で、図中矢印で示すように粉体容器１０を上下に振る動作を行うことで、内容物の塊が開口２０ｂを通って台座部２０に載り、台座部２０に載った塊には破砕部材２２が台座部２０に向けて下降移動した際に破砕部材２２によって十分な破砕力が与えられて破砕される。そして、塊が破砕され細かくなった後には、図６に示すように蓋体３４を開け、粉体容器１０を傾けるかもしくは傾けた状態で振ることで、内容物を隣接する放射状リブ２４間を通って排出口１４ｂから排出することができる。したがって、粉体容器１０を振るという簡単な動作で、強固に集塊化した内容物を粉砕することができる。なお、粉体容器１０を上下に振ることにより破砕部材２２を上下動させ塊を粉砕する操作は、蓋体３４を開けて内容物の排出と同時に行うこともできる。
【００２７】
また、本実施形態の粉体容器１０によれば、破砕部材２２は、下降端位置にて台座部２０に当接する本体部２２ａと、該本体部２２ａから垂直下向きに延出して台座部２０を貫通する軸棒２２ｂを有するので、内容物が全体的に固化した場合でも軸棒２２ｂの下方進出によって内容物の塊を突き刺し、破砕することができる。そして、軸棒２２ｂによる破砕によりある程度小さくなった塊は、台座部２０の開口２０ｂを通って台座部２０の上に載り、本体部２２ａと台座部２０との間でより細かく破砕することができる。
【００２８】
さらに、本実施形態の粉体容器１０によれば、軸棒２２ｂの先端は鋭利に形成されているので、棒軸２２ｂによる内容物の突刺し破砕をより効果的に行うことができる。
【００２９】
さらに、本実施形態の粉体容器１０によれば、破砕部材２２の本体部２２ａには、台座部２０の開口２０ｂと対応する位置にて垂直下向きに延出し、少なくとも下降端位置にて開口２０ｂから下方に突出する破砕突起２６が形成されているので、大き過ぎて台座部２０の開口２０ｂを通ることができない塊を破砕突起２６の下方進出により破砕することができる。そして、破砕突起２６による破砕によりある程度小さくなった塊は、台座部２０の開口２０ｂを通って台座部２０の上に載り、本体部２２ａと台座部２０との間でより細かく破砕することができる。
【００３０】
さらに、本実施形態の粉体容器１０によれば、破砕部材２２が側壁１６の上端部に対応する位置に配置されているので、内容物の塊を破砕部材２２とキャップ１４の天板３２との間でも押し潰すことができるので、内容物の塊をより効果的に破砕することができる。
【００３１】
次に、破砕部材２２の変形例について説明する。図７〜図９はそれぞれ、本発明の粉体容器に適用可能な破砕部材の変形例を示す平面図である。
【００３２】
図４に示した破砕部材２２では、放射状リブ２４は本体部２２ａの中央部分から径方向と平行に真直ぐ形成されていたが、図７に示す破砕部材２２では、放射状リブ２４は本体部２２ａの中央部分から径方向に対して斜めに延出し、さらに周方向の一方側に湾曲しながら径方向外側に延びている。その他の構成は、図１〜図４を参照して説明した破砕部材と同じであるので詳細な説明は省略する。このように放射状リブ２４を湾曲させることで、放射状リブ２４の本数は変えずに放射状リブ２４間の間隔を狭くできるとともに放射状リブ２４を長くできるので、塊をより細かくかつ効果的に破砕することが可能になる。
【００３３】
図８に示す変形例では、破砕部材２２は、本体部２２ａの中央部分から径方向外側に延びる複数の放射状リブ２４と、放射状リブ２４の径方向外側端同士を連結する環状帯３６とを有している。環状帯３６は図示例では略六角形に形成されているが、円形や星形等、他の形状でもよい。その他の構成は、図１〜図４を参照して説明した破砕部材２２と同じであるので詳細な説明は省略する。このように放射状リブ２４の径方向外側端同士を環状帯３６で連結することで破砕部材２２の本体部２２ａの強度が高まるとともに破砕範囲が広くなり、粉体の塊をより確実かつ効率的に破砕することが可能になる。
【００３４】
図９に示す変形例では、破砕部材２２の本体部２２ａは、平面視で縦方向（図面の上下方向）に延びる複数（図示例では３本）の縦リブ３８と、平面視で横方向（図面の左右方向）に延びて縦リブ３８と交差することにより縦リブ３８との間に内容物を通過させる通路を区画する複数（図示例では３本）の横リブ４０とを有している。その他の構成は、図１〜図４を参照して説明した破砕部材２２と同じであるので詳細な説明は省略する。このように縦リブ３８および横リブ４０を交差させることで破砕部材２２の本体部２２ａの強度が高まるとともに破砕範囲が広くなり、粉体の塊をより確実かつ効率的に破砕することが可能になる。
【００３５】
以上、図示例に基づき本発明を説明したが、本発明は上述の実施形態に限定されず、種々の変更、追加、修正が可能であり、例えば、図７および図９に示した破砕部材２２に、図８に示した破砕部材２２における環状帯３６を設けてもよい。
【産業上の利用可能性】
【００３６】
本発明によれば、簡単な操作で強固に集塊化した内容物を破砕可能な粉体容器が提供される。
【符号の説明】
【００３７】
１０  粉体容器
１２  容器本体
１４  キャップ
１４ａ  ねじ部
１４ｂ  排出口
１４ｃ  ヒンジ
１６  側壁
１６ａ  嵌合部
１６ｂ  ねじ部
１８  底板
１８ａ  嵌合部
２０  台座部
２０ａ  案内孔
２０ｂ  開口
２２  破砕部材
２２ａ  本体部
２２ｂ  軸棒
２４  放射状リブ
２６  破砕突起
２８  凹条
３０  装着筒
３２  天板
３４  蓋体
３６  環状帯
３８  縦リブ
４０  横リブ
【図１】
2019147564.tif 000003
【図２】
2019147564.tif 000004
【図３】
2019147564.tif 000005
【図４】
2019147564.tif 000006
【図５】
2019147564.tif 000007
【図６】
2019147564.tif 000008
【図７】
2019147564.tif 000009
【図８】
2019147564.tif 000010
【図９】
2019147564.tif 000011